(57)【特許請求の範囲】
【請求項１】
シリンダと、該シリンダの先端側から突出可能なノズル本体とを備え、
該ノズル本体の先端側の上面に温水を噴出する噴出口が設けられている温水洗浄ノズルにおいて、
該噴出口にメッシュを備えており、
該メッシュは、該ノズル本体内において該噴出口に重なった姿勢と該噴出口から退いた姿勢とをとりうるように移動可能に配置されると共に、該メッシュを移動させるための駆動手段が設けられていることを特徴とする温水洗浄ノズル。
【発明の詳細な説明】
【０００１】
【発明の属する技術分野】
本発明は、人体臀部を温水で洗浄するための温水洗浄装置のノズルに係り、特に、柔らかい水勢にて臀部を洗浄することができる温水洗浄ノズルに関する。
【０００２】
【従来の技術】
洋風便器などの便器に温水洗浄装置を設置し、用便後等に臀部を温水で洗浄可能としたトイレ設備が急速に普及しつつある。この温水洗浄装置は、多くの場合、シリンダ及び該シリンダの先端から突出自在なノズル本体を有した洗浄ノズルを備えている。このシリンダの後部に温水を供給すると、この水圧によってノズル本体が前進してシリンダから突出し、その先端から温水が噴出して臀部が洗浄される。なお、このような水圧前進方式の他に、モータ等によってノズル本体を前後進させる電動方式のものもある。本発明はいずれのタイプの温水洗浄ノズルにも適用できる。
【０００３】
第６図は従来の水圧前進方式の温水洗浄ノズルの斜視図である。
【０００４】
この従来例にあっては、温水洗浄ノズルとして、第１洗浄ノズル（シャワーノズル）１０と第２洗浄ノズル（ビデノズル）２０とを備えている。各洗浄ノズル１０，２０は、シリンダ１２，２２と、該シリンダ１２，２２の先端から突出可能なノズル本体１４，２４とを備えており、ノズル本体１４，２４の先端部の上面に温水の噴出孔１４ａ，２４ａ（２４ａは図示略）が設けられている。また、ノズル本体１４，２４の先端面には摘み１４ｂ、２４ｂが設けられており、この摘み１４ｂ、２４ｂを摘んでノズル本体１４，２４を引張り出すことが可能となっている。シリンダ１２，２２内にはリターンスプリング（図示略）が設けられており、ノズル本体１４，２４をシリンダ１２，２２内に後退させるように付勢している。
【０００５】
シリンダ１２，２２の後部に第１フィードパイプ１６と第２フィードパイプ２６を介して切替装置３０が接続されている。この切替装置３０は、ステップモータ３２と弁機構３４とを備えており、フィードホース３８からの温水を第１フィードパイプ１６及び第２フィードパイプ２６のいずれかに分配するよう構成されている。フィードホース３８の上流端は温水タンクに接続されている。
【０００６】
切替装置３０によって温水が第１フィードパイプ１６から第１シリンダ１２に供給された場合、第１ノズル本体１４が前進し、噴出口１４ａから温水が噴出して臀部洗浄（所謂シャワー洗浄）が行われる。
【０００７】
切替装置３０によって温水が第２フィードパイプ２６から第２シリンダ２２に供給された場合、第２ノズル本体２４が前進し、噴出口２４ａから温水が噴出し、ビデ洗浄が行われる。
【０００８】
【発明が解決しようとする課題】
この噴出水勢が強いと例えば痔疾者などにあっては痛感を感じることがある。水勢を弱くすれば痛感は解消されるが、洗浄が不十分となる。そこで、噴出水に気泡を泡入させて泡沫状に温水を噴出させて臀部をマイルドに洗浄するよう構成された温水洗浄装置が提案されているが、空気供給装置が必要となり、機構が複雑である。
【０００９】
本発明は、比較的簡易な機構で臀部をマイルドに洗浄することができる温水洗浄ノズルを提供することを目的とする。
【００１０】
【課題を解決するための手段】
本発明の温水洗浄ノズルは、シリンダと、該シリンダの先端側から突出可能なノズル本体とを備え、該ノズル本体の先端側の上面に温水を噴出する噴出口が設けられている温水洗浄ノズルにおいて、該噴出口にメッシュを備えており、該メッシュは、該ノズル本体内において該噴出口に重なった姿勢と該噴出口から退いた姿勢とをとりうるように移動可能に配置されると共に、該メッシュを移動させるための駆動手段が設けられていることを特徴とするものである。
【００１１】
かかる温水洗浄ノズルにあっては、メッシュを通って微細となった水が臀部に注ぎ掛けられるので、きわめてマイルドな柔らかい洗浄感を得ることができる。
【００１３】
本発明では、メッシュは該ノズル本体内において該噴出口に重なった姿勢と該噴出口から退いた姿勢とをとりうるように移動可能に配置されると共に、該メッシュを移動させるための駆動手段が設けられている。これにより、メッシュがノズル内部に配置されるので、汚れが付かない。また、メッシュを噴出口から退かせることにより、強い水勢にて臀部を洗浄することもできる。
【００１４】
【発明の実施の形態】
以下、図面を参照して参考例及び実施の形態について説明する。第１図（ａ）は参考例に係る温水洗浄ノズルのノズル本体の先端部分を示す断面図、第１図（ｂ）はメッシュユニットの斜視図、第１図（ｃ）は第１図（ｂ）のＣ−Ｃ線に沿う断面図である。
【００１５】
この温水洗浄ノズルは、それぞれ合成樹脂製のシリンダ（図示略）と、このシリンダの先端から突出自在なノズル本体１とを備えている。ノズル本体１の先端の噴出口２にメッシュユニット３が装着されている。ノズル本体１の先端面には摘み１ａが突設されている。
【００１６】
このメッシュユニット３は、合成樹脂の筒状成形体よりなるプラグ４と、該プラグ４内に配置されたメッシュ５と、該メッシュ５を押えるＣリング又はＥリング等のリング６とを備えている。噴出口２の内周面には雌螺子が設けられ、外周に雄螺子を有した該プラグ４が該噴出口２にねじ込まれて固定されている。
【００１７】
メッシュ５は、筒状のプラグ４の軸心線と直交方向に配材され、プラグ４の内孔の段部４ａに係止されている。リング６はこのプラグ４の内周に形成された溝４ｂに装着され、該プラグ４の内周面から突出している。
【００１８】
プラグ４の内孔の上部は六角孔部４ｃとなっており、六角スパナや六角レンチ等の工具によって該プラグ４を回すことが可能となっている。
【００１９】
このように構成されたノズル本体１を有する温水洗浄ノズルにあっては、噴出口２から噴出する温水は、メッシュ５によって微細化されているので、この噴出水を受けた臀部の触感はきわめてマイルドなものとなる。従って、痔疾者等であっても痛感を感じないようになる。
【００２０】
このメッシュユニット３は着脱可能であるため、取り外して十分に清掃することができる。また、メッシュユニット３を新品と交換することもできる。
【００２１】
第２図（ａ）は別の参考例に係る温水洗浄ノズルのノズル本体の断面図、第２図（ｂ）はナット及びメッシュの斜視図である。
【００２２】
このノズル本体１Ａにあっては、噴出口２内にメッシュ５が直接に配置され、ナット７によって保持されている。このナット７は、内孔が六角形のものであり、六角スパナや六角レンチ等の工具によって着脱される。
【００２３】
このように構成されたノズル本体１Ａを有する温水洗浄ノズルにおいても、噴出口２から噴出する温水は、メッシュ５によって微細化されているので、この噴出水を受けた臀部の触感はきわめてマイルドなものとなる。また、ナット７を取り外してメッシュ５を十分に清掃したり、メッシュ５を新品と交換することもできる。
【００２４】
第３図は実施の形態に係る温水洗浄ノズルを示すものであり、（ａ）図はノズルの長手方向の縦断面図、（ｂ）図は弁体及び鉄心の斜視図である。第４図は第３図（ｂ）のIV−IV線に沿う断面図、第５図は第３図（ａ）のＶ−Ｖ線に沿う断面図である。
【００２５】
なお、第３図は、ノズル本体が突出した状態に係るものであり、ノズルのシリンダ先端側とノズル本体とを示している。
【００２６】
この温水洗浄ノズルは、それぞれ合成樹脂製のシリンダ４０及び該シリンダ４０の先端側から突出自在なノズル本体４２を備えていると共に、このノズル本体４２をシリンダ４０内に後退する方向に付勢するリターンスプリング４８を備えている。ノズル本体４２の先端面には摘み４２ｂが設けられている。
【００２７】
このノズル本体４２の先端側の上面には噴出口４４が設けられている。この噴出口４４は比較的口径の大きなものであり、ノズル本体４２の先端近傍に配置されている。
【００２８】
この噴出口４４に重なった位置をとりうるようにメッシュユニット５０がノズル本体４２内の先端側に配置されている。このメッシュユニット５０は、ノズル本体４２の内周面に若干の隙間を介して嵌合する大きさの略々Ｃ字形状のものであり、ノズル本体４２の内周面と摺動してノズル本体４２の前後方向に移動可能となっている。このメッシュユニット５０の上面にメッシュ５１が設けられている。
【００２９】
なお、ノズル本体４２の先端側は断面形状が第３図の通り非真円形となっているが、これはシリンダ４０の先端開口４０ａを同様の非真円形とし、ノズル本体４２がその軸心回りに回動することを防止し、噴出口４４を常に上方を指向させるためである。メッシュユニット５０は、この非真円形断面形状のノズル本体４２の内周面に倣った非真円形状となっている。メッシュ５１は平坦となっている。
【００３０】
このメッシュユニット５０を前後移動させるために、該メッシュユニット５０が線状体５２を介して鉄心５４に連結されている。この線状体５２は、剛性を有したワイヤや細いロッドよりなる。
【００３１】
鉄心５４は円環形のものであり、ノズル本体４２の後部内に前後方向移動可能に配置されている。メッシュユニット５０及び鉄心５４にはそれぞれ直径方向に径方向部材５０ａ，５４ａが架設されており、線状体５２はこの径方向部材５０ａ，５４ａに連結固定されている。
【００３２】
ノズル本体４２の後端には、径方向の外方及び内方の双方に突出したフランジ部５８が設けられている。
【００３３】
鉄心５４はリターンスプリング６０によって該フランジ部５８に軽く押し付けられるように付勢されている。
【００３４】
この鉄心５４を前進させるために、シリンダ４０の外周にソレノイド５６が巻装されている。このソレノイド５６は、後退限まで後退した鉄心５４よりも前方側に配置されている。
【００３５】
シリンダ４０の内周にはフランジ５８の外周側が当接するストッパ用段部６２が形成されている。図示はしないが、第５図の従来例と同様にシリンダ４０の後部側に設けられた給水ポートから温水が該シリンダ４０内に供給される。ノズル本体４２がこの給水圧によって前進してきた場合、フランジ５８が該段部６２に当接して停止する。
【００３６】
なお、シリンダ４０の先端近傍にはリンスポート６４が設けられている。ノズル本体４２が後退するときに該リンスポート６４からシリンダ４０内に温水が供給される。この温水は、シリンダ４０の先端開口４０ａとノズル本体４２の外周との間から流出し、ノズル本体４２の外周面の汚れを洗い流す。
【００３７】
このように構成された温水洗浄ノズルにおいて、シリンダ４０の後端の給水ポートから温水がシリンダ４０内に供給されると、その水圧よりフランジ部５８が段部６２に当接するまでノズル本体４２が前進する。ソレノイド５６に通電がなされていないときには、鉄心５４はフランジ部５８に当接した後退状態にあり、メッシュユニット５０は噴出口４４から退避している。このため、温水はメッシュ５１を通ることなく噴出口４４から噴出する。前記の通り、この噴出口４４は孔径が比較的大きく、且つ個数が比較的少ないので、この噴出口４４から比較的太い噴出水流が強い水勢にて噴出し、人体臀部が強く洗浄される。
【００３８】
ノズル本体４２の前進前、前進途中、又は前進終了後にソレノイド５６に通電を行うことにより、前進したノズル本体４２内において鉄心５４がソレノイド５６の磁力によってノズル本体４２の内周面の段部６６に当接するまで前方移動する。鉄心５４の前進に伴って、線状体５２を介してメッシュユニット５０も前方移動し、噴出口４４に重なる。これにより、噴出口４４はメッシュ５１を通って微細化した温水が噴出し、人体臀部がマイルドに洗浄される。
【００３９】
もちろん、臀部の洗浄途中においてソレノイド５６への通電、通電停止を切り替えることにより、強い洗浄とマイルドな洗浄とを切り替えることができる。
【００４０】
本発明の温水洗浄ノズルは、シャワーノズル及びビデノズルのいずれにも適用できる。
【００４１】
【発明の効果】
以上の通り、本発明の温水洗浄ノズルによると、比較的簡易な構成によりマイルドな洗浄を行うことが可能となる。
【図面の簡単な説明】
【図１】  第１図（ａ）は参考例に係る温水洗浄ノズルのノズル本体の先端部分を示す断面図、第１図（ｂ）はメッシュユニットの斜視図、第１図（ｃ）は第１図（ｂ）のＣ−Ｃ線に沿う断面図である。
【図２】  第２図（ａ）は別の参考例に係る温水洗浄ノズルのノズル本体の断面図、第２図（ｂ）はナット及びメッシュの斜視図である。
【図３】  実施の形態に係る温水洗浄ノズルを示すものであり、（ａ）図はノズルの長手方向の縦断面図、（ｂ）図は弁体及び鉄心の斜視図である。
【図４】  第３図（ｂ）のIV−IV線に沿う断面図である。
【図５】  第３図（ａ）のＶ−Ｖ線に沿う断面図である。
【図６】  従来の温水洗浄ノズルの斜視図である。
【符号の説明】
１，１Ａ  ノズル本体
２  噴出口
３  ノズルユニット
４  プラグ
５  メッシュ
６  リング
７  ナット
１０  第１洗浄ノズル
２０  第２洗浄ノズル
４０  シリンダ
４２  ノズル本体
４４  噴出口
４８  リターンスプリング
５０  メッシュユニット
５１  メッシュ
５２  線状体
５４  鉄心
５６  ソレノイド
５８  フランジ部
６０  リターンスプリング
６２，６６  段部
【図１】
0004254050.tif 000002
【図２】
0004254050.tif 000003
【図３】
0004254050.tif 000004
【図４】
0004254050.tif 000005
【図５】
0004254050.tif 000006
【図６】
0004254050.tif 000007